(57)【要約】【課題】電子カメラの起動時に表示像を観察する者に与える不快感を軽減する。【解決手段】電子カメラ１は、撮像素子２２と、撮像素子２２における光学像の揺動を抑えるように、撮像素子２２へ被写体光束を導く光学系２１または撮像素子２２を揺動させる防振手段２６と、画像を表示する表示手段１６と、撮像素子２２が所定間隔で撮像した画像を表示手段１６が逐次表示するように撮像素子２２および表示手段１６を制御する通常制御手段１１と、カメラ起動中において、防振手段２６の初期化処理が完了する前に撮像素子２２が撮像した画像を表示手段１６が表示するように通常制御手段１１と異なる制御を撮像素子２２および表示手段１６に行う起動時制御手段１１とを備える。【選択図】図１
2009049927.tif 000002
【特許請求の範囲】
【請求項１】
撮像素子と、
前記撮像素子における光学像の揺動を抑えるように、前記撮像素子へ被写体光束を導く光学系または前記撮像素子を揺動させる防振手段と、
画像を表示する表示手段と、
前記撮像素子が所定間隔で撮像した画像を前記表示手段が逐次表示するように前記撮像素子および前記表示手段を制御する通常制御手段と、
カメラ起動中において、前記防振手段の初期化処理が完了する前に前記撮像素子が撮像した画像を前記表示手段が表示するように前記通常制御手段と異なる制御を前記撮像素子および前記表示手段に行う起動時制御手段とを備えることを特徴とする電子カメラ。
【請求項２】
請求項１に記載の電子カメラにおいて、
前記起動時制御手段は、前記表示手段に表示させるフレームレートを前記通常制御手段が前記表示手段に表示させるフレームレートより低速に制御することを特徴とする電子カメラ。
【請求項３】
請求項２に記載の電子カメラにおいて、
前記起動時制御手段はさらに、前記フレームレートを低速制御中に前記被写体光束を制限する絞りを初期化駆動する信号を発することを特徴とする電子カメラ。
【請求項４】
請求項１に記載の電子カメラにおいて、
前記起動時制御手段は、前記表示手段が同じ画像を表示し続けるように前記撮像素子および前記表示手段を制御することを特徴とする電子カメラ。
【請求項５】
請求項１に記載の電子カメラにおいて、
前記起動時制御手段は、前記防振手段による前記光学系または前記撮像素子の揺動タイミングに同期して前記撮像素子が撮像した画像を前記表示手段が表示するように前記撮像素子および前記表示手段を制御することを特徴とする電子カメラ。
【発明の詳細な説明】
【技術分野】
【０００１】
本発明は、電子カメラに関する。
【背景技術】
【０００２】
画像表示装置を備えた電子カメラは、起動時において初期化後に表示処理が開始される（特許文献１参照）。
【０００３】
【特許文献１】特開２００５−１０１９５１号公報
【発明の開示】
【発明が解決しようとする課題】
【０００４】
全ての初期化処理が終了する前に画像表示を開始させようとする場合、表示画像を観察する者に不快感を与えるおそれがあった。
【課題を解決するための手段】
【０００５】
（１）本発明による電子カメラは、撮像素子と、撮像素子における光学像の揺動を抑えるように、撮像素子へ被写体光束を導く光学系または撮像素子を揺動させる防振手段と、画像を表示する表示手段と、撮像素子が所定間隔で撮像した画像を表示手段が逐次表示するように撮像素子および表示手段を制御する通常制御手段と、カメラ起動中において、防振手段の初期化処理が完了する前に撮像素子が撮像した画像を表示手段が表示するように通常制御手段と異なる制御を撮像素子および表示手段に行う起動時制御手段とを備えることを特徴とする。
（２）請求項１に記載の電子カメラにおいて、起動時制御手段は、表示手段に表示させるフレームレートを通常制御手段が表示手段に表示させるフレームレートより低速に制御することもできる。
（３）請求項２に記載の電子カメラにおいて、起動時制御手段はさらに、フレームレートを低速制御中に被写体光束を制限する絞りを初期化駆動する信号を発することもできる。
（４）請求項１に記載の電子カメラにおいて、起動時制御手段は、表示手段が同じ画像を表示し続けるように撮像素子および表示手段を制御することもできる。
（５）請求項１に記載の電子カメラにおいて、起動時制御手段は、防振手段による光学系または撮像素子の揺動タイミングに同期して撮像素子が撮像した画像を表示手段が表示するように撮像素子および表示手段を制御することもできる。
【発明の効果】
【０００６】
本発明による電子カメラでは、起動時に表示像を観察する者に与える不快感を軽減できる。
【発明を実施するための最良の形態】
【０００７】
以下、図面を参照して本発明を実施するための最良の形態について説明する。図１は、本発明の一実施の形態による電子カメラ１の要部構成を説明するブロック図である。電子カメラ１は、メインＣＰＵ１１によって制御される。
【０００８】
メインＣＰＵ１１は、電子カメラ１に電池（不図示）が装填されるとメインスイッチ操作検出ポートを起動し、メインスイッチ１８の操作の有無をチェックする。メインスイッチ１８からオン操作信号が入力された場合、メインＣＰＵ１１は電源回路２７へ指示を送り、電子カメラ１内各部への通電を開始させ、メイン処理プログラムを起動する。これにより、メインＣＰＵ１１は各ブロックから出力される信号を入力して所定の演算を行い、演算結果に基づく制御信号を各ブロックへ出力する。
【０００９】
メインＣＰＵ１１は、メインスイッチ１８からオフ操作信号が入力された場合、メイン処理プログラムを終了させて電源回路２７へ指示を送り、各部への通電を停止させる。
【００１０】
撮影レンズ群２１は、撮像素子２２の撮像面上に被写体像を結像させる。レンズ群２１は不図示のズームレンズおよび防振レンズを含む。ズームレンズは焦点距離を変化させるためのレンズであり、防振レンズは撮像素子２２の撮像面における被写体像の揺れを抑えるためのレンズである。
【００１１】
撮像素子２２はＣＣＤイメージセンサなどで構成され、撮像面上の被写体像を撮像し、撮像信号を撮像回路２３へ出力する。ＮＤ(Neutral Density)フィルタ２０は、透過光を所定量（たとえば、アペックス値で２段相当）減衰させる減光部材である。ＮＤフィルタ２０は、駆動機構１９によって撮影レンズ２１の光軸と直交する向きに進退駆動される。ＮＤフィルタ２０が駆動されて被写体光の光路上へ挿入された場合、撮像素子２２へ入射される光量がＮＤフィルタ２０で制限される。一方、ＮＤフィルタ２０が駆動されて被写体光の光路外へ退避された場合、撮像素子２２へ入射される光量は制限されない。駆動機構１９は、メインＣＰＵ１１からの指示に応じてＮＤフィルタ２０に対する進退駆動を行う。
【００１２】
撮像回路２３は、メインＣＰＵ１１からの感度変更指示に応じて撮像感度（露光感度）を所定範囲（たとえばＩＳＯ１００相当〜ＩＳＯ８００相当）内において所定ステップで変更する。撮像感度は、撮像素子２２に蓄積された電荷の検出感度、もしくは不図示の増幅回路の増幅利得を変化させる被制御量のことをいう。撮像感度値は、相当するＩＳＯ感度値で表される。撮影回路２３はさらに、メインＣＰＵ１１からの撮影指示に応じて、内蔵されるＡ／Ｄ変換回路を用いてアナログ撮像信号をディジタルデータに変換する。
【００１３】
ドライバ２４は、メインＣＰＵ１１から送出される指示に応じてクロック信号を発生する。ドライバ２４はさらに、撮像素子２２に電荷を蓄積させ、蓄積電荷を掃き出させるための駆動信号を上記クロック信号を用いて生成し、生成した駆動信号を撮像素子２２へ供給する。クロック信号はノーマルクロックとダウンクロックとが切換自在に構成されており、撮像素子２２へ供給する駆動信号の周波数を異ならせることができる。
【００１４】
ズームレンズ駆動装置２５は、メインＣＰＵ１１からの指示に応じて撮影レンズ群２１を構成するズームレンズ（不図示）を光軸方向に進退移動させる。メインＣＰＵ１１は、後述する操作部材１７からのズーム操作信号に応じてズームレンズ駆動指示をズームレンズ駆動装置２５へ送る。
【００１５】
防振レンズ駆動装置２６は、メインＣＰＵ１１からの指示に応じて撮影レンズ群２１を構成する防振レンズ（不図示）を光軸と直交する向きへ進退移動させる。メインＣＰＵ１１は、電子カメラ１の振れを検出する振れセンサ（不図示）からの検出信号に基づいて電子カメラ１のヨー方向およびピッチ方向の振れを検出し、これらの振れの影響を打ち消すように防振レンズ駆動指示を防振レンズ駆動装置２６へ送る。
【００１６】
画像処理回路１２は、たとえばＡＳＩＣとして構成され、撮像回路２３から入力されるディジタル画像信号に対して画像処理を行う。画像処理には、たとえば、輪郭強調や色温度調整（ホワイトバランス調整）処理、画像信号に対するフォーマット変換処理が含まれる。
【００１７】
画像圧縮回路１３は、画像処理回路１２による処理後の画像信号に対して、JPEG方式で所定の圧縮比率の画像圧縮処理を行う。表示画像作成回路１５は、撮像画像を液晶モニタ１６に表示させるための表示データを作成する。
【００１８】
記録媒体３０は、電子カメラ１に対して着脱可能なメモリカードなどで構成される。記録媒体３０には、メインＣＰＵ１１からの指示によって撮影画像のデータおよびその情報を含む画像ファイルが記録される。記録媒体３０に記録された画像ファイルは、メインＣＰＵ１１からの指示によって読み出しが可能である。
【００１９】
バッファメモリ１４は、画像処理前後および画像処理途中のデータを一時的に格納する他、記録媒体３０へ記録する前の画像ファイルを格納したり、記録媒体３０から読み出した画像ファイルを格納したりするために使用される。
【００２０】
操作部材１７は、電子カメラ１の各種ボタンやスイッチ類を含み、レリーズボタンの半押し操作、全押し操作、ズーム操作など、各操作部材の操作内容に応じた操作信号をメインＣＰＵ１１へ出力する。
【００２１】
本実施形態は、電子カメラ１の起動時の動作、とくに液晶モニタ１６へのスルー画表示に特徴を有するので、この点をさらに詳細に説明する。メインＣＰＵ１１は、電子カメラ１の起動時に液晶モニタ１６にモニタ画像（スルー画像）を表示させる。具体的には、撮像素子２２にモニタ用の撮像を行わせ、電荷蓄積後に出力される撮像信号を用いて画像処理回路１２に信号処理させ、信号処理後の画像データを表示画像作成回路１５へ出力させる動作を繰り返すことにより、モニタ画像を液晶モニタ１６に逐次表示させる。
【００２２】
図２は、メインスイッチオン時の動作タイミングを例示するタイムチャートである。図２において、メインＣＰＵ１１は、時刻ｔ０にメインスイッチ１８からオン操作信号を受けると電源回路１６を起動させる。電源回路１６が電源供給を始める時刻ｔ１において、メインＣＰＵ１１はメイン処理プログラムを起動させるとともに、液晶モニタ１６の初期化を開始させる。
【００２３】
メインＣＰＵ１１はさらに、時刻ｔ２においてレンズ初期化を開始させる。具体的には、ズームレンズを収納位置から所定位置（たとえばワイド端）へ向けて移動開始させる。時刻ｔ３において、メインＣＰＵ１１は防振機構初期化を開始させる。これにより、撮影レンズ群２１を構成する防振レンズ（不図示）がその可動範囲内で初期移動する。
【００２４】
モニタ初期化が終了する時刻ｔ４において、メインＣＰＵ１１はモニタ表示を開始させる。メインＣＰＵ１１はドライバ２４へ指示を送り、駆動信号をダウンクロックに切り替えさせる。ダウンクロック時は、撮像素子２２へ供給される駆動信号の周波数がノーマルクロック時の１／４倍になる。これにより、モニタ表示開始時のフレームレートが低速制御される。
【００２５】
メインＣＰＵ１１は、画像データを表示画像作成回路１５へ出力させる動作を繰り返し行わせることにより、モニタ画像を液晶モニタ１６に逐次表示させる。モニタ表示を示すバー表示中の「１」、「２」、「３」は、それぞれフレーム数を表す。図２の例では、時刻ｔ４から時刻ｔ５まで１フレーム目のモニタ画像が、時刻ｔ５から時刻ｔ６まで２フレーム目のモニタ画像が、時刻ｔ５から時刻ｔ６まで３フレーム目のモニタ画像が、それぞれ液晶モニタ１６に表示される。
【００２６】
メインＣＰＵ１１はドライバ２４へ指示を送り、防振機構初期化が終了する時刻ｔ７以降のモニタ表示のフレームレートを速めさせる。ドライバ２４が駆動信号をノーマルクロックへ切り替えることにより、撮像素子２２へ供給される駆動信号の周波数がダウンクロック時の４倍になる。時刻ｔ７以降のモニタ表示のフレームレートは、時刻ｔ７以前のフレームレートの４倍になる。これにより、モニタ表示開始時から低速制御されていたフレームレートが高速制御に切り替わる。
【００２７】
時刻ｔ７以降のメインＣＰＵ１１は、撮像信号の信号値から取得した明るさ情報に基づいて露出演算を行い、露出条件を決定して撮影指示（レリーズボタンの押下操作信号）を待つ撮影待機状態へ進む。
【００２８】
以上説明した実施形態によれば、以下の作用効果が得られる。
（１）電子カメラ１は、メインスイッチオン操作に応じた起動中において液晶モニタ１６の初期化が終了する時刻ｔ４以降にモニタ画像の表示を始めるようにしたので、起動後（防振機構の初期化を含む全ての初期化が終了する時刻ｔ７）にモニタ画像の表示を始める場合に比べて、メインスイッチオン操作からモニタ表示開始までに要する時間を短くすることができる。
【００２９】
（２）防振機構を初期化している期間（時刻ｔ４から時刻ｔ７）は、モニタ表示のフレームレートを低速制御するようにしたので、防振レンズの位置が異なることに起因してモニタ表示のフレーム間で生じる被写体像の撮像面内の移動が、低速制御しない場合に比べて緩やかになる。これにより、表示像における被写体揺れも緩やかになり、液晶モニタ１６の表示画面を観察する者に与える不快感を少なく抑えることができる。
【００３０】
（３）レンズ初期化の開始時刻（ｔ２）、防振機構の初期化の開始時刻（ｔ３）、および液晶モニタ１６の初期化の開始時刻（ｔ１）をそれぞれ異ならせたので、各初期化に伴う電力消費のピーク発生時をずらして電源回路２７の負担を軽減することができる。
【００３１】
（変形例１）
防振レンズを進退移動させるタイプの防振機構の代わりに、撮像素子を進退移動させるタイプの防振機構にも本発明を適用してよい。この場合には、防振機構初期化時において撮像素子をその可動範囲内で初期移動させるように制御する。
【００３２】
（変形例２）
モニタ表示のフレームレートを低速制御している期間に、絞り（ＮＤフィルタ２０）の初期化を行うようにしてもよい。絞りの初期化は、たとえばＮＤフィルタ２０を収納位置から所定位置（たとえば開放端）へ向けて移動開始させる。これにより、絞りが異なることに起因してモニタ表示のフレーム間で生じる被写界深度差が液晶モニタ１６の表示画面を観察する者に与える不快感を少なく抑えることができる。
【００３３】
（変形例３）
防振機構の初期化中は、該防振機構の初期移動に同期させてフレーム画像を撮像させるように制御してもよい。防振機構初期化時においては、防振レンズ（または撮像素子）をその可動範囲内で初期移動させるが、可動範囲の所定位置（たとえばセンター付近）を防振レンズ（または撮像素子）が移動するタイミングに合わせてモニタ用の撮像を行うように制御すれば、防振レンズ（または撮像素子）の位置が異なることに起因してモニタ表示のフレーム間で生じる被写体像の撮像面内の移動を小さく抑えることができる。これにより、表示像における被写体揺れも緩やかになり、液晶モニタ１６の表示画面を観察する者に与える不快感を抑えることができる。
【００３４】
（変形例４）
防振機構初期化が終了する時刻ｔ７までモニタ表示のフレームレートを低速制御する代わりに、１フレーム分のキャプチャ画像を継続して表示させるようにしてもよい。図３は、変形例４におけるメインスイッチオン時の動作タイミングを例示するタイムチャートである。図３において、時刻ｔ４〜時刻ｔ７まで共通のモニタ画像が液晶モニタ１６に表示される。
【００３５】
変形例４によれば、防振レンズ（または撮像素子）の位置が異なることに起因して撮像面上を被写体像が移動するとしても、１フレーム分のキャプチャ画像の表示を続ける。このため、表示像における被写体揺れはなく、液晶モニタ１６の表示画面を観察する者に与える不快感を抑えることができる。
【００３６】
なお、上述した説明ではカメラの入射光量を制限する手段としてＮＤフィルタ２０を用いる例を説明したが、ターレット絞りや虹彩絞りを用いる構成でも構わない。以上の説明はあくまで一例であり、上記の実施形態の構成に何ら限定されるものではない。
【図面の簡単な説明】
【００３７】
【図１】本発明の一実施の形態による電子カメラの要部構成を説明するブロック図である。
【図２】メインスイッチオン時の動作タイミングを例示するタイムチャートである。
【図３】変形例４における動作タイミングを例示するタイムチャートである。
【符号の説明】
【００３８】
１…電子カメラ
１１…メインＣＰＵ
１６…液晶モニタ
１８…メインスイッチ
２０…ＮＤフィルタ
２１…撮影レンズ群
２２…撮像素子
２４…ドライバ
２６…防振レンズ駆動装置
２７…電源回路
【図１】
2009049927.tif 000003
【図２】
2009049927.tif 000004
【図３】
2009049927.tif 000005